(57)【要約】【課題】、極数の多い端子台でもフローはんだ付けに伴う端子台の浮きを確実に防止し、しかも簡易な構造で作業性よくプリント基板に装着できるように改良したプリント基板実装型端子台を提供する。【解決手段】樹脂製の端子台１に配列して装着した端子リード２の脚部先端を端子台の底面側に引き出し、該端子台１をプリント基板２に搭載した状態で端子リード３の脚部先端をプリント基板のスルーホール２ａに挿通してフロー半田付けしたプリント基板実装型端子台において、プリント基板２のスルーホール２ａに対して端子リード３の脚部に若干の傾斜角を付与した上で、該脚部の先端にはＶ字状に曲げ加工したフック部３ａを形成し、端子リード３の脚部先端をスルーホール２ａに嵌挿した状態でリードの自己復元力により前記フック部３ａをスルーホール２ａの開口端周縁に係止させる。【選択図】図１
2012043643.tif 000002
【特許請求の範囲】
【請求項１】
樹脂製の端子台に配列して装着した端子リードの脚部先端を端子台の底面側に引き出し、端子台をプリント基板に搭載した状態で前記リードの脚部先端をプリント基板のスルーホールに挿通してフロー半田付けしたプリント基板実装型端子台において、
プリント基板のスルーホールに対して前記リードの脚部に若干の傾斜角を付与した上で、該脚部の先端にはＶ字状に曲げ加工したフック部を形成し、該リードの脚部先端をスルーホールに嵌挿した状態でリードの自己復元力により前記フック部をスルーホールの開口端周縁に係止させたことを特徴とするプリント基板実装型端子台。
【発明の詳細な説明】
【技術分野】
【０００１】
本発明は、端子台をプリント基板に搭載し、該端子台のねじ端子から引出した端子リードの脚部先端をプリント基板のスルーホールに挿通してはんだ接合したプリント基板実装型端子装置に関する。
【背景技術】
【０００２】
周知のように頭記のプリント基板実装型端子装置においては、端子台に装備した多極数のねじ端子リードをプリント基板にはんだ付けする際には、プリント基板のスルーホールに挿通した各極のリードを、フローはんだ付け法により一括してはんだ接合するようにしている。
【０００３】
また、このフローはんだ付け工程で、プリント基板に熱変形（反り）が生じて端子台がプリント基板から浮いてはんだ接合が不確実となるのを防止する対策として、次記のような対策例が知られている（例えば、特許文献１，特許文献２，特許文献３参照）。
（１）プリント基板のスルーホールに挿通した端子リードの脚部にキンク加工を施してプリント基板に係合させる（特許文献１の図４参照）。
（２）端子台をプリント基板にねじ締結する（特許文献１の図５参照）。
（３）端子台に係合片を設け、該係合片を端子台の実装位置でプリント基板に穿設した係合穴に係止する（特許文献２の図２参照）。
（４）前項（２）ないし（３）の手段と組み合わせて、各端子リードの脚部先端にフック部を形成し、端子リードをプリント基板のスルーホールに挿通させた状態で、前記フック部をスルーホールの開口端縁に係止位置に保持させるように前記係合爪をプリント基板に係止して端子台を固定する（特許文献１の図３、特許文献３の図６参照）。
【先行技術文献】
【特許文献】
【０００４】
【特許文献１】特開２００６−２９４５３７号公報
【特許文献２】特開平６−２８３２２２号公報
【特許文献３】特開平７−２６３０５３号公報
【発明の概要】
【発明が解決しようとする課題】
【０００５】
ところで、前記（１）〜（４）項に記載の浮き防止対策を施した従来のプリント基板実装型端子装置では、その組立工程における工数，および作業性の面で次記のような課題がある。すなわち、
（１）端子リードにキンク加工を施してプリント基板に係止する対策は、端子台の極数が多くなるとキンク加工に要する工数が増加ほか、フローはんだ熱によるプリント基板の反りの影響が大きくなるとキンク加工部がプリント基板から外れ易くる問題がある。
（２）また、端子台をプリント基板にねじ締結して浮きを防止する対策では、端子台の極数が増えるのにしたがって、締結するねじの本数を増やす必要があり、作業工数や部品点数が増えてコスト高になる。
（３）さらに、端子リードの脚部先端に形成したフック部と、端子台に形成した係合片を組合せて端子台の浮きを防止する対策は、機能的に優れているものの端子台の構造が複雑となり、かつ端子台の極数が多くなると、スルーホールへの端子リードのフック部挿入が難しくなって作業性が低下するなどの問題がある。
【０００６】
本発明は上記の点に鑑みなされたものであり、その目的は前課題を解決し、極数の多い端子台でもフローはんだ付けに伴う端子台の浮きを確実に防止し、しかも簡易な構造で作業性よくプリント基板に装着できるように改良したプリント基板実装型端子台を提供することにある。
【課題を解決するための手段】
【０００７】
上記目的を達成するために、本発明によれば、樹脂製の端子台に配列して装着した端子リードの脚部先端を端子台の底面側に引き出し、端子台をプリント基板に搭載した状態で前記リードの脚部先端をプリント基板のスルーホールに挿通してフロー半田付けしたプリント基板実装型端子台において、
プリント基板のスルーホールに対して前記リードの脚部に若干の傾斜角を付与した上で、該脚部の先端にはＶ字状に曲げ加工したフック部を形成し、該リードの脚部先端をスルーホールに嵌挿した状態でリードの自己復元力により前記フック部をスルーホールの開口端周縁に係止させるようにする。
【発明の効果】
【０００８】
上記構成によれば、端子リード自身のばね弾性と復元力を巧みに利用して、端子リードの脚部先端に形成したＶ字状フック部をプリント基板のスルーホールに差込み挿通してその開口端縁へ確実に係合させることができる。
【０００９】
すなわち、あらかじめプリント基板のスルーホールに対して曲げ角度を付与した端子リードの脚部をプリント基板のスルーホールに差し込む過程で、Ｖ字状のフック部がスルーホールの開口部上縁に突き当たると、端子リードの脚部，およびフック部が撓んでスルーホールの中に押し込まれる。そして、フック部がスルーホールを通り抜けると、端子リードの弾性復元力により元の形状に戻ってフック部がスルーホールの開口端周縁へ確実に係止されようになる。
【００１０】
これにより、従来のように端子リードの先端に形成したフック部の他に、端子台に係合片を設けてプリント基板に係合するなどの補助手段を要さずに、フローはんだ付け工程で端子台がプリント基板から浮くのを防止して信頼性の高いはんだ接合を達成できる。
【図面の簡単な説明】
【００１１】
【図１】本発明の実施例によるプリント基板実装型端子装置の構成図で、フローはんだ付け前の組立状態を表す側視断面図である。
【図２】図１における端子リードのフック部をプリント基板のスルーホールに挿通させる際の説明図であって、（ａ）は端子リードのフック部がスルーホールを挿通した後の状態、（ｂ）はフック部がスルーホールに差し込まれた段階を模式的に表す図である。
【図３】図１における端子台の外形を表す俯瞰図である。
【発明を実施するための形態】
【００１２】
以下、本発明の実施の形態を図１〜図３に示す実施例に基づいて説明する。
図１，図２において、１はモールド樹脂製の端子台、２はプリント基板、２ａはプリント基板１に穿設したスルーホール、３は端子台１に整列装備したねじ端子の端子リード、３ａは端子リード２の脚部先端に曲げ加工を施して形成したＶ字状のフック部、４は端子ねじである。また、図３に示す端子台１には、前後３段に分けて配列した各極のねじ端子を装着する取付座１ａ、左右に整列する取付座１ａの間を仕切る隔壁１ｂ、および端子台の両端には取付ねじのねじ座１ｃが形成されている。
【００１３】
前記の端子リード３は燐青銅，ベリリウム銅などのばね性を有する材料の板金加工品で、図示のように端子リード３はその脚部先端を端子台１の底面側に引き出している。ここで、端子リード３の脚部には、図２（ａ）で示すようにプリント基板２のスルーホール２ａに対して若干の傾斜角θ（例えば０．５°〜３°）を付与するように前方（図面の左側）に向けて傾斜させておき、かつその先端には端子台１の前方側（傾斜角度θの方向）に向け曲げ加工を施してＶ字状のフック部３ａを形成している。
【００１４】
上記の構成で、端子台１をプリント基板２に実装する組立工程で、端子リード３の脚部先端をプリント基板２のスルーホール２ａに挿通するように上方から押し込むと、次記のような挙動を経て先端のフック部３ａがスルーホール２ａを通り抜ける。
【００１５】
すなわち、図２（ｂ）で表すようにフック部２ａがスルーホール２ａの開口部上縁に突き当たると、端子リード３自身のばね弾性により脚部が矢印ａの方向に傾動しつつ、フック部３ａがＶ字形状を折り畳むように撓んでスルーホール２ａの中に押し込まれる。そして、フック部３ａがスルーホール２ａを通り抜けると、図２（ａ）で表すように、Ｖ字状のフック部３ａが元の形状に復元し、同時に端子リード３は自己の弾性復元力により矢印ｂ方向に傾動して図示位置にセルフアライメントされる。この組立状態では、端子リード３の脚部がスルーホール２ａの穴内の前壁面に押付けられてフック部３ａがスルーホール２ａの下側の開口端縁に確実に係合する。
【００１６】
したがって、この組立状態でローはんだ付けを行うことにより、プリント基板２の反り，端子台１の浮きを防止して端子リード３をプリント基板２に適正にはんだ接合することができる。
【符号の説明】
【００１７】
１    端子台
２    プリント基板
２ａ  スルーホール
３    端子リード
３ａ  フック部
４    端子ねじ
【図１】
2012043643.tif 000003
【図２】
2012043643.tif 000004
【図３】
2012043643.tif 000005